Podtech/llm-jp-corpus-v4-ja_patent huggingface dataset:
(57)【要約】      （修正有）【課題】非接触で読み書きが出来る事を特徴とするＩＣタグが着脱不可能な状態で組込まれた収納ケースであって且つ、文字・図形・バーコード等の可視情報が書き込まれた媒体（和紙素材・洋紙素材・プラスチック素材等）を出し入れする事が可能であって、収納ケース内に入れた媒体の脱落防止用として開閉用のチャックを備えたＩＣタグ組込み型収納ケースを提供する。【解決手段】非接触で読み書きが出来る事を特徴とするＩＣタグが着脱不可能な状態で組込まれた収納ケースであって且つ、文字・図形・バーコード等の可視情報が書き込まれた媒体を出し入れする事が可能であるＩＣタグ組込み型収納ケースを提供する。このＩＣタグ組込み型収納ケースを利用する事により、可視情報が組み込まれた媒体を本収納ケース内に入れる事によって、本収納ケースに組み込まれているＩＣタグと本収納ケース内に入れた可視情報が書き込まれた媒体双方を容易に組合せて運用する事が可能となる。【選択図】図１
0003112595.tif 000002
【実用新案登録請求の範囲】
【請求項１】
軟質体である素材（Ｃ）と、非接触で読み書きが出来る事を特徴とするＩＣタグが着脱不可能な状態で組み込まれている軟質体である素材（Ｄ）とを重ねて、一辺（１）を除く周辺（２）（３）（４）を剥離不可能な状態で固着し、前記一辺（１）の開口辺から両軟質体である素材（Ｃ）、（Ｄ）間に文字・図形・バーコード・２次元コード等の可視情報が書き込まれた厚みの少ない媒体（和紙素材・洋紙素材・プラスチック素材等で厚さが３ｍｍ以下の物）を出し入れする事が可能である収納ケースであって本収納ケースに入れた前記可視情報が書き込まれた媒体が本収納ケース内より脱落し難くなるように前記一辺（１）の開口部に脱落防止用として開閉用のチャック（ファスナー）（５）を設けた収納ケース（Ａ）。
【考案の詳細な説明】
【技術分野】
【００１】本考案は、ＩＣタグが着脱不可能な状態で組み込まれた、軟質体である素材によって構成された文字・図形・バーコード・２次元コード等の可視情報が書き込まれた媒体（和紙・洋紙・プラスチック素材等）を出し入れする事が可能である収納ケースに関するものである。
【背景技術】
【００２】物品を認識・区別・管理する為に文字・図形・バーコード・２次元コード等の可視情報が書き込まれた紙素材又はプラスチック素材等の媒体が利用されている。これら可視情報が書き込まれた前記媒体を出し入れをする事が可能であって、脱落防止用として開閉用のチャック（ファスナー）を備えた収納ケースであって、非接触で読み書きが出来る事を特徴とするＩＣタグが収納ケース内に着脱不可能な状態で組み込まれたＩＣタグ組込み型収納ケースは存在しなかった。
【考案が解決しようとする課題】
【００３】物品を認識・区別・管理する為に文字・図形・バーコード・２次元コード等の可視情報が書き込まれた前記媒体と、非接触で読み書きが出来る事を特徴とするＩＣタグを組合せて利用する場合において、物理的に別個であるが故に双方を容易に組合せて利用する事が困難であった。本考案はＩＣタグが予め着脱不可能な状態で組み込まれた収納ケースであって、本収納ケース内には可視情報が組み込まれた前記媒体を入れる事によって、収納ケースに組み込まれているＩＣタグと収納ケース内に入れた可視情報が書き込まれた前記媒体双方を容易に組合せて運用する事が可能となる。
【課題を解決する為の手段】
【００４】上記課題を解決する為に、請求項１記載のＩＣタグ組込み型収納ケースに係る考案は、軟質体である素材（Ｃ）、同じく軟質体であって前記ＩＣタグが着脱不可能な状態で組み込まれた素材（Ｄ）とを重ねて、一辺を除く周辺を固着し、前記一辺の開口から両軟質体間（Ｃ）（Ｄ）に物品を認識・区別・管理する為に必要な文字・図形・バーコード・２次元コード等の可視情報が書き込まれた媒体（和紙・洋紙・プラスチック素材等）を入れるＩＣタグ組込み型収納ケースとしたものである。また、収納ケース内より脱落し難くなるように一辺（１）の開口部に脱落防止用として開閉用のチャック（ファスナー）（５）を設けたものである。
【考案を実施するための最良の形態】
【００５】以下、本技術の形態について説明する。図１に請求項１記載の考案に関する実施形態を詳細図として示し、この収納ケース（Ａ）は軟質素材（Ｄ）の裏面周縁に貼着面（Ｅ）を形成し、この貼着面（Ｅ）を介し、個別識別可能なＩＣタグ（Ｂ）が着脱不可能な状態で組み込まれた軟質素材（Ｃ）を固着したものであって、前記軟質素材（Ｃ）、軟質素材（Ｄ）間に可視情報が書き込まれた媒体を出し入れする事を可能としたものである。また、収納ケース内より脱落し難くなるように一辺（１）の開口部に脱落防止用として開閉用のチャック（ファスナー）（５）を設けたものである。
【発明の効果】
【００６】以上説明したように本考案によれば、物品を認識・区別・管理する為に可視情報が書き込まれた媒体とＩＣタグを組合せて利用する場合において、ＩＣタグ組込み型収納ケース内に前記可視情報が書き込まれた媒体を容易に出し入れする事が可能となり、前記可視情報が書き込まれた媒体及び前記ＩＣタグ双方を容易に組合せて利用する事が可能となる。
【図面の簡単な説明】【図１】本考案実施形態の詳細図。
【図１】
0003112595.tif 000003
【手続補正書】
【提出日】平成17年1月26日(2005.1.26)
【手続補正１】
【補正対象書類名】実用新案登録請求の範囲
【補正対象項目名】請求項１
【補正方法】変更
【補正の内容】
【請求項１】
軟質体である素材（Ｃ）と、非接触で読み書きが出来る事を特徴とするＩＣタグが着脱不可能な状態で組み込まれている軟質体である素材（Ｄ）とを重ねて、一辺（１）を除く周辺（２）（３）（４）を剥離不可能な状態で固着し、前記一辺（１）の開口辺から両軟質体である素材（Ｃ）、（Ｄ）間に文字・図形・バーコード・２次元コード等の可視情報が書き込まれた厚みの少ない媒体（和紙素材・洋紙素材・プラスチック素材等で厚さが３ｍｍ以下の物）を出し入れする事が可能である収納ケースであって本収納ケースに入れた前記可視情報が書き込まれた媒体が本収納ケース内より脱落し難くなるように前記一辺（１）の開口部に脱落防止用として開閉用のチャック（５）を設けた収納ケース（Ａ）。
(57)【要約】      （修正有）【課題】穴をあけずに綴じるファイルバインダーの衝撃や時間経過による書類の自重によるずれを防ぐ。【解決手段】ファイルバインダー（Ａ）の背表紙に２本の切れ込み（Ｂ）を入れ、新しくできた面（Ｃ）を内側に折り込むと面（Ｉ）が書類ずれストッパーとして綴じた書類の背表紙と平行になり、書類がずれないように支える。これによって衝撃や収納時における書類のずれがかなり防止できる。また面（Ｃ）を折り込んだ際にできた隙間に指が入るため、背表紙の縁（Ｅ）が引き手となり容易に収納場所から引き出すことができる。【選択図】図４
0003112592.tif 000002
【実用新案登録請求の範囲】
【請求項１】
現行のファイルバインダー（Ａ）の背表紙に切れ込み（Ｂ）を入れ、新たにできた面（Ｃ）を内側に折り込む。その際、面（Ｃ）の背表紙の部分、面（Ｉ）が『書類ずれストッパー』とし、切れ込み（Ｂ）の切り口となった背表紙の縁（Ｆ）が『引き手』となる新機構
【考案の詳細な説明】
【技術分野】
【０００１】この考案は背表紙を改良することで書類ずれストッパーと引き手をつけたファイルバインダー（Ａ）に関するものである。
【背景技術】
【０００２】従来、書類に穴をあけずに綴じるファイルバインダーは、書類の固定には様々な綴じ具を使用していた。また、収納されている場所から取り出すための引き手及び取っ手は上記の書類の固定とは関係なく取り付けられている。
【考案の開示】
【考案が解決しようとする課題】
【０００３】従来、書類に穴をあけずに綴じるファイルバインダーは様々な形の綴じ具が考案されているが、ちょっとした衝撃や収納して時間がたつと書類本来の重さのため、綴じ具から書類がずれてしまったり、外れてしまうことが多かった。そこで本考案は収納時はもちろん、衝撃を与えても書類がずれにくいファイルバインダーを課題として研究をすすめた。
【課題を解決するための手段】
【０００４】穴を開けずに綴じるバインダーの場合、書類を綴じ具で挟み込む。書類をずれにくくするために綴じ具の力を強力にすると書類を痛める可能性が高くなる。そこで綴じ具の機能を補助する新機構をもたせればいいと理論づけした結果、以下の方法を考案するにいたった。ファイルバインダー（Ａ）の背表紙に２本の切れ込み（Ｂ）を入れ、新しくできた面（Ｃ）を反転させて内側に折り込むと、面（Ｃ）の背表紙の部分面（Ｉ）が書類ずれストッパーとして機能することが判明した。
【考案の効果】
【０００５】本考案を使用することによって綴じた書類の背表紙が面（Ｉ）によって綴じ具と平行を保つように支えられる。これによって衝撃や収納時における書類のずれがかなり防止できる。また面（Ｃ）を折り込んだ際にできた隙間に指が入るため、背表紙の縁（Ｅ）が引き手となり収納場所から引き出しやすくなった。さらに隙間から綴じた書類が見えるのも、使い勝手がいい付加価値となった。また、面（Ｉ）の幅と背表紙の幅は全く同じなため、折り込んだ場合、素材厚（ｔ）×２分が重複し、面（Ｉ）が入り込むための幅が足りない計算となるが、ほとんど問題にならないことも確認した。低コストで実現が可能な新機構である。
【考案を実施するための最良の形態】
【０００６】以下、本考案の実施の形態について説明する。ファイルバインダー（Ａ）の背表紙の下部付近に２本の切れ込み（Ｂ）をつける。図１切れ込みは背表紙から表、裏表紙へ図２の間隔（Ｅ）分の長さずつ切り込む。間隔（Ｅ）は背表紙と表、裏表紙の境界線から綴じ具最奥のライン（Ｄ）までの幅を２分の１にしたものである。こうしてできた面（Ｃ）をファイルバインダーの内側へと反転させ、折り込むと面（Ｃ）の背表紙の部分面（Ｉ）がライン（Ｄ）と平行になる。この面（Ｉ）はファイルバインダーをとじた状態にした時、書類の背表紙を支える書類ずれストッパーとして機能する。書類は綴じ具からずれにくいことを確認した。図３、図４また、折り込んだ際にできる背表紙の縁（Ｆ）は書架などから取り出すときの引き手となる。さらに背表紙の隙間から書類が見えるのも非常に便利である。
【産業上の利用可能性】
【０００７】本考案は非常に低コストで実現するファイルバインダーの新機構である書類がずれにくくなると同時に引き手もついた本製品は従来のものに比べて付加価値がついた競争力の高い製品となる。また、引き手がついて書架などから取り出しやすくなったため、子供から老人まで扱いやすいユニバーサルデザインとしもアピールできる。
【図面の簡単な説明】
【０００８】
【図１】ファイルバインダー（Ａ）全体と２本の切れ込み（Ｂ）の位置を示した平面図である。
【図２】「図１」に示した切れ込み（Ｂ）の長さを表した拡大図である。
【図３】面（Ｃ）面（Ｉ）を内側に折り込んだ状態を示した底面図である。
【図４】本考案を立体的に示した斜視図である。
【符号の説明】
【０００９】（Ａ）はファイルバインダー（Ｂ）は背表紙にいれる切れ込み部（Ｃ）は切れ込みＢによってできた（Ｄ）は綴じ具の最奥、書類の背がくるライン（Ｅ）は背表紙と表、裏表紙の境界線からライン（Ｄ）間の２分の１幅（Ｆ）は切れ込み（Ｂ）によってできた背表紙の縁（Ｇ）は背表紙の幅（Ｈ）は背表紙の幅から素材厚ｔ×２を引いた幅（Ｉ）は面（Ｃ）の背表紙部分の面、書類の背を支える書類ずれストッパーとなる（ｔ）はファイルバインダー（Ａ）の素材の厚
【図１】
0003112592.tif 000003
【図２】
0003112592.tif 000004
【図３】
0003112592.tif 000005
【図４】
0003112592.tif 000006
【手続補正書】
【提出日】平成16年11月17日(2004.11.17)
【手続補正１】
【補正対象書類名】実用新案登録請求の範囲
【補正対象項目名】請求項１
【補正方法】変更
【補正の内容】
【請求項１】
ファイルバインダー（Ａ）の背表紙に切れ込み（Ｂ）を入れ、新たにできた面（Ｃ）を内側に折り込んだ新機構。
この新機構において、面（Ｃ）の背表紙の部分、面（Ｉ）が書類ずれストッパーとなる。また、切れ込み（Ｂ）の切り口となった背表紙の縁（Ｆ）が引き手となる。以上の構成からなるファイルバインダーの新機構
【手続補正書】
【提出日】平成17年4月19日(2005.4.19)
【手続補正１】
【補正対象書類名】実用新案登録請求の範囲
【補正対象項目名】全文
【補正方法】変更
【補正の内容】
【実用新案登録請求の範囲】
【請求項１】
ファイルバインダー（Ａ）の背表紙に切れ込み（Ｂ）を入れ、新たにできた面（Ｃ）を内側に折り込んだ新機構において、
（１）面（Ｃ）の背表紙の部分、面（Ｉ）が書類ずれストッパーとなる。
（２）切れ込み（Ｂ）の切り口となった背表紙の縁（Ｆ）が引き手となる。
以上の構成からなるファイルバインダーの新機構。
(57)【要約】      （修正有）【課題】茹であげた麺を冷蔵庫内で保存する場合、麺全体がくっついてしまう事を防ぎ、次に食べる時に取り分けやすいようにした、四角い箱型容器を提供する。【解決手段】自在な幅に取り付け可能な仕切りによって、麺の種類あるいは一食分の量に合わせてザル内を小分けに仕切り、麺を取り出しやすくし、冷蔵庫内で保存する場合は、箱型容器に収納する事によって、水切りと同時に乾燥を防ぎ、形状を四角にしたことによって、冷蔵庫内の納まりを良くした。【選択図】図１
0003112596.tif 000002
【実用新案登録請求の範囲】
【請求項１】
冷蔵庫内での納まりを考慮し、形状を四角にし、内部を自在な幅に仕切ることが可能で、さらに２段まで重ねて使用できるザルに、収納時の水切りと乾燥を防ぐ為のタッパー型容器を備えた、茹で麺保存用容器。
【考案の詳細な説明】
【技術分野】
【０００１】  本考案は、冷蔵庫に保存状態の茹で麺を、必要な分量だけ容易く取り出すことの出来る、仕切りのついたザル付き収納タッパーに関するものである。
【背景技術】
【０００２】  暑い夏に大量のお湯を沸かして麺を茹でるのは大変なので、ある程度まとまった量を茹でる。しかし、残してしまったり、あるいは家族の食事時間がばらばらで一度に食べきれない場合、ひとつのザルに入れておくと、そのまま全部がくっついてしまうので、次に食べる時は、ほぐすために全体に水をかけなければいけない。又従来のザルは円形で深さがあり、冷蔵庫に保管する場合かなりのスペースを必要とする。又、従来のザルには、受けはあったとしても蓋がないので、乾燥を防ぐ為には、ラップで蓋ったり、ビニールで包む等の必要性があった。
【考案の開示】
【考案が解決しようとする課題】
【０００３】  ザルにあげた麺の全体がくっついてほぐれない時、それが一度に食べきれない量であっても、ほぐすには、その全体に水をかけなければならない。結果的に何度も水をくぐらせる事により麺が延びてしまうこともある。そこでザルに仕切りをつけて、最初から小分けにしておくことによって、必要な分量だけに水をかけてほぐし、取り出せるようにする。又、ザルが納まるタッパー型の容器を作り、ザルから出る水を受けると同時に、茹で麺の乾燥を防ぐ。又、ザル及び容器の形状を四角にし、更に重ねる事を可能にすることによって、冷蔵庫内の納まりを良くしようとするものである。
【課題を解決するための手段】
【０００４】  本考案は、ザル内を取り外し可能な仕切りで、麺の形状や一食分の分量に合わせて、自在な幅に小分けにすることによって、麺全体がひとつにくっついてしまう事を防ぎ、又、本体を四角くすることによって、従来の円形の製品に比べ冷蔵庫内の収まりを良くした。更に、ザルは２段重ねる事が可能なので、保存したい量に合わせた使用を可能にし、ザルが収納できるタッパー型容器によって、水切りと同時に、麺の乾燥を防ぐ。
【考案の効果】
【０００５】  時間の揃わない家族の分もあらかじめ用意しておかなければいけない場合や、どのくらいの量を食べきれるかわからず茹でて残ってしまった場合も、次に食べる時に全部が一つの団子状になってほぐすのに手間取る事もなく、又麺の種類や使う椀の大きさにあった仕切り幅にすることによって、いちいち水でほぐさなくてもそのままザルから取って、各自の椀に入れることが可能である。又容器全体がコンパクトなので、特に冷蔵庫に収納するものが増える夏場でも、スペースの問題に悩まされる事もなくなる。
【考案を実施するための最良の形態】
【０００６】  ザルは水切れが良いように全ての面を格子状にし、格子の入った複数枚の仕切りは麺の種類等によって、自在にはめ込む事が出来るようにする。例えばそうめんなどの細い麺は仕切りを小さめにし、うどんなど太めの麺は大きめの仕切りにすることによって、それぞれ使う椀に一度に納まるくらいの分量に小分けできて、取り出しを簡単にする。蓋の上面と４枚の側面は固定されておらず、接点で折り曲がり可能とし、受け皿部にザルを収納し蓋をしたい時は、受け皿部に蓋をかぶせ、蓋の４枚の側面を下ろし、側面の内側にある突起部を受け皿部の側面にある下の溝にはめ込むことで固定される。ザルを２段使用の場合は、同様に蓋を上段のザルの上にかぶせ、蓋の突起部を受け皿部側面の上の溝にはめ込む。
【実施例】
【０００７】  以下、添付図面に従って一実施例を説明する。１は耐熱性のプラスチックス素材等で形成されたザル本体。２、３は同様の素材で作られた仕切りで麺の種類等に合わせて自在にはめ込む事が出来る。４は同様の素材で作られた受け皿部で４枚の側面には上下に溝がある。５は同様の素材で作られた蓋部分で上面６と側面７は固定されておらず、内側に折り曲がる。ザル一段使用時に蓋をしたい時は、蓋５の側面７の内側にある突起部８を受け皿部４の側面にある下の溝９にはめ込み、ザル二段使用時の場合は、蓋５の側面７の突起部８を受け皿部４の側面にある上の溝１０にはめ込むことで固定する。又、ザル一段の場合は、蓋５は受け皿部４にのせるので、蓋５の上面内側にある外側の溝１１に受け皿部４の上部枠がはまり、ザル二段の場合は、ザル１に直接のせる事になるので、蓋５の上面内側にある内側の溝１２にはまることになる。
【図面の簡単な説明】
【０００８】
【図１】ザルを１段使用時の蓋をする前と、蓋をした後。
【図２】ザルを２段使用時の蓋をする前と、蓋をした後。
【図３】麺を入れるザルと仕切をはめ込んだ状態。
【図４】受け皿部
【図５】蓋を上から見た状態と側面をひろげ、内側から見た状態。
【符号の説明】
【０００９】１    ザル本体
２    ザル内を小分けにする為の仕切り
３    ザル内を小分けにする為の仕切り
４    受け皿部
５    蓋部分
６    蓋の上面
７    蓋の側面
８    蓋をする時受け皿部の溝にはめ込む突起部
９    ザル一段使用時に蓋をする際、蓋の突起部をはめ込む溝
１０  ザル二段使用時に蓋をする際、蓋の突起部をはめ込む溝
１１  ザル一段使用時に受け皿部の上部枠がはまる溝
１２  ザル二段使用時にザルの上部粋がはまる溝
【図１】
0003112596.tif 000003
【図２】
0003112596.tif 000004
【図３】
0003112596.tif 000005
【図４】
0003112596.tif 000006
【図５】
0003112596.tif 000007
【手続補正書】
【提出日】平成17年1月1日(2005.1.1)
【手続補正１】
【補正対象書類名】実用新案登録請求の範囲
【補正対象項目名】全文
【補正方法】変更
【補正の内容】
【実用新案登録請求の範囲】
【請求項１】
家庭で茹であけた麺類を冷蔵庫で保存する際、麺が大きな塊のままくっついてしまうのを防ぎ、次回必要な分量だけを取り出し易くするため、内部を自由な幅にしきることが出来る、ざる付きの箱型容器である。形状を四角にすることにより、冷蔵庫内の納まりもよくなる。
【手続補正書】
【提出日】平成17年4月13日(2005.4.13)
【手続補正１】
【補正対象書類名】実用新案登録請求の範囲
【補正対象項目名】全文
【補正方法】変更
【補正の内容】
【実用新案登録請求の範囲】
【請求項１】
受け皿となる四角形の箱型容器の内部に、はめ込み可能な四角形のざるを有するざる付き容器であって、ざるの内部を自由な幅に仕切ることが出来るように仕切り部材を設けたざる付き箱型容器。
(57)【要約】【課題】  手提げ部が強靱で、内容物を収納して吊り下げても破損しにくい手提げ袋を提供すること。  【解決手段】  袋本体１の上下開口部を折り畳んで角底２，２’を形成し、角底２，２’の外面に補強紙３，３’を接着し、少なくとも一方の補強紙３の中央部に、一対の切れ目６，６を形成して、これら切れ目６，６の間を手提げ部８とし、一対の切れ目６，６の間において補強紙３に、切れ目６よりも長い補強帯片７を貼着してある。【選択図】      図１
0003112518.tif 000002
【実用新案登録請求の範囲】
【請求項１】
袋本体の上下開口部を折り畳んで角底を形成し、該角底の外面に補強紙を接着し、少なくとも一方の補強紙の中央部に、一対の切れ目を形成し、これら切れ目の間を手提げ部とした手提げ袋において、前記一対の切れ目の間において前記補強紙に、前記切れ目よりも長い補強帯片を貼着したことを特徴とした手提げ袋。  
【考案の詳細な説明】
【技術分野】
【０００１】
本考案は、袋本体の上下両端部が角底を形成することにより封鎖された手提げ袋に関する。  
【背景技術】
【０００２】
穀粒、セメント等を収納する紙袋として、袋本体の上下開口部を折り畳んで角底を形成し、一方の角底の側端部に、袋の内外を連通する充填用の弁筒を装着し、角底の外面に補強紙を接着したものが知られている。  
このような紙袋に内容物を充填して人手によって搬送しようとすると、手提げがないために両手で抱えて持ち運ばなければならず、非常に不便であった。  
そこで、従来、角底の外面に接着された補強紙の中央部に接着剤を塗布せず、一対の切り込みを設け、これら切り込みに手を通して手さげ部とすることができる手さげ袋が提案されている（特許文献１参照）。
しかし、上記従来の手さげ袋は、手さげ部が補強紙の厚みしかなく脆弱なので、この部分を持って、内容物を充填して重くなった袋を吊り下げると、ちぎれる虞があった。  
【０００３】
【特許文献１】実開平１−７６４４１号公報
【考案の開示】
【考案が解決しようとする課題】
【０００４】
本考案が解決しようとする課題は、手提げ部が強靱で、内容物を収納して吊り下げても破損しにくい手提げ袋を提供することにある。  
【課題を解決するための手段】
【０００５】
本考案の手提げ袋は、袋本体の上下開口部を折り畳んで角底を形成し、該角底の外面に補強紙を接着し、少なくとも一方の補強紙の中央部に、一対の切れ目を形成し、これら切れ目の間を手提げ部とし、前記一対の切れ目の間において前記補強紙に、前記切れ目よりも長い補強帯片を貼着してある。  
【考案の効果】
【０００６】
本考案によれば、一対の切れ目の間に補強帯片を貼着して手提げ部を補強してあるので、袋本体に内容物を充填して吊り下げても、手提げ部がちぎれ難い。  
【考案を実施するための最良の形態】
【０００７】
以下、本考案の実施例を図面に基づいて詳細に説明する。  
本考案の手提げ袋は、図１に示すように、袋本体１の上下開口部を折り畳んで角底２，２’を形成し、角底２，２’の外面にそれぞれ補強紙３，３’を接着してある。  
また、角底２’には、袋本体１の内外を連通する内容物充填用の弁筒４が装着されている。  
【０００８】
角底２，２’を形成するには、図２に示すように、袋本体１の上下端部の前面又は後面を、袋本体１の幅方向と平行な折り返し線ａに沿って表面側へ折り返すと共に、両側部を内側へ折り曲げて三角形状の側部折り曲げ部５，５’を形成する。  
次いで、袋本体１の上下いずれかにおいて、一方の側部折り曲げ部５の中央部外面に弁筒４を、その中心軸が袋本体１の幅方向に沿うよう接着する。  
さらに、袋本体１の前面及び後面の上下端部を、折り返し線ａと平行な折り曲げ線ｂ、ｂ’に沿って折り畳み、前面の先端と後面の先端とを互いに接着する。  
【０００９】
補強紙３，３’は、長方形状をなし、角底２，２’の外面において、両側部に形成された三角部分を除く部分を覆うようになっている。  
図３に示すように、一方の補強紙３の中央部には、袋本体１の幅方向に沿う一対の切れ目６が適宜間隔をあけて形成され、一対の切れ目６の間において、補強紙３の裏面には補強帯片７が貼着される。  
補強帯片７は、引っ張り強度の高い合成樹脂シートから成り、切れ目６よりも長く、望ましくは、補強紙３の全長に亘る長さとされる。  
また、切れ目６の間の部分では、補強紙３及び補強帯片７の裏面に接着剤が塗布されず、この部分が角底２に接着されないようになっている。
【００１０】
従って、一対の切れ目６に手を差し込むと、これら切れ目６の間が角底２から浮き上がって、手提げ袋を吊り下げる際の手提げ部８となる。  
なお、他方の補強紙３’は、切れ目６のない通常のものとしても良いし、一対の切れ目６を形成しても良い。
【図面の簡単な説明】
【００１１】
【図１】本考案の実施例を示す手提げ袋の正面図。
【図２】角底折り畳み途中における手提げ袋の正面図。
【図３】補強紙の裏面図。
【符号の説明】
【００１２】
１  袋本体
２，２’  角底
３，３’  補強紙
４  弁筒
５，５’  側部折り曲げ部
６  切れ目
７  補強帯片
８  手提げ部
ａ  折り返し線
ｂ、ｂ’  折り曲げ線
【図１】
0003112518.tif 000003
【図２】
0003112518.tif 000004
【図３】
0003112518.tif 000005
(57)【要約】【課題】  道路の仮復旧作業の簡易化【解決手段】  この道路仮復旧用敷設ブロックマット１ａ、１ｂ、１ｃは、ゴム又は樹脂製の板状材であって、周縁部に接合構造を備え、複数枚を平面状に接合して敷設可能な構造を備えている。この道路仮復旧用敷設ブロックマット１ａ、１ｂ、１ｃによれば、アスファルト舗装のように、特別な施工技術や知識及び管理が不要で、施工が容易である。また、天候に左右されずに施工が可能であり、施工の際に騒音を発生させることもない。また、ゴム又は樹脂製であり、現場での切断加工が可能であるから、施工箇所に対して、現場で対応でき、電柱周りやマンホールの周りなどにもきれいに施工できる。また、在来舗装部との段差改修が容易に行なえると共に、改修費も大幅に低減でき、舗装仮復旧後は、接合部を外すことにより、簡単に回収することができ、繰り返し使用することができる。【選択図】  図１
0003112511.tif 000002
【実用新案登録請求の範囲】
【請求項１】
ゴム又は樹脂製の板状材であって、周縁部に接合構造を備え、複数枚を平面状に接合して敷設可能な道路仮復旧用敷設ブロックマット。
【請求項２】
廃ゴム又は廃ポリエチレンのリサイクル製品であることを特徴とする請求項１に記載の道路仮復旧用敷設ブロックマット。
【考案の詳細な説明】
【技術分野】
【０００１】
本考案は、例えば、地下電線埋設管路や水道管などの地下埋設物や道路内構造物の設置工事後に掘削箇所を埋め戻した後、道路地盤が安定するまでの間、従来のアスファルト材に代えて道路仮復旧箇所に敷設される道路仮復旧用敷設ブロックマットに関するものである。
【背景技術】
【０００２】
地下電線埋設管路や水道管などの地下埋設物や道路内構造物の設置工事後に掘削箇所を埋め戻した後道路地盤が安定するまでの間、歩行者や車両の通行の安全を確保するため、アスファルト材で仮舗装している。
【考案の開示】
【考案が解決しようとする課題】
【０００３】
アスファルト材による仮復旧工事では、本復旧の際に、仮復旧の際に施工したアスファルト材を取り壊し、リサイクル実施箇所に持ち込んでおり、取り壊し費用や、運搬費用、リサイクル費用などが掛かっている。また、施工時の締め固めや取り壊し作業において、騒音が発生するので、沿道住民に迷惑を掛けているのが実情である。
【課題を解決するための手段】
【０００４】
本考案に係る道路仮復旧用敷設ブロックマットは、ゴム又は樹脂製の板状材であって、周縁部に接合構造を備え、複数枚を平面状に接合して敷設可能な構造を備えている。斯かる道路仮復旧用敷設ブロックマットは、廃ゴム又は廃ポリエチレンのリサイクル製品としてもよい。
【考案の効果】
【０００５】
この道路仮復旧用敷設ブロックマットは、斯かる仮復旧の際のアスファルト材に代えて用いられるものであり、ゴム又は樹脂製の板状材であって、周縁部に接合構造を備え、複数枚を平面状に接合して敷設可能な構造を備えているので、道路の仮復旧工事では、道路の仮復旧箇所に応じて複数のブロックマットを平面状に接合して敷設するとよい。この道路仮復旧用敷設ブロックマットは、ゴム又は樹脂製なので、道路の仮復旧の施工スペースに応じて現場での切断加工が容易に行なえ、電柱周り等の細かい部分の施工も容易に対応可能である。また、アスファルト舗装のように特別な施工技術が入らず、また天候に左右されないので施工が容易である。また、アスファルト舗装のように転圧を付与することが不要であり、工事に伴なう騒音の発生を減少させることができる。また、廃ゴム又は廃ポリエチレンのリサイクル製品とすることにより、製造コストの低減を図ることができ、斯かる素材の有効利用を図ることができる。
【考案を実施するための最良の形態】
【０００６】
以下、本考案の一実施形態に係る道路仮復旧用敷設ブロックマットを図面に基づいて説明する。
【０００７】
この道路仮復旧用敷設ブロックマット１ａ、１ｂ、１ｃは、図１に示すように、ゴム又は樹脂製の板状材であって、周縁部に接合構造を備え、複数枚を平面状に接合して敷設可能な構造を備えている。
【０００８】
この実施形態では、各道路仮復旧用敷設ブロックマット１ａ、１ｂ、１ｃは、廃ゴム又は廃ポリエチレンを用いて成形した略矩形の部材であり、周縁部に先端が拡がった突起片２と、他の道路仮復旧用敷設ブロックマットの突起片２が嵌まり込み相互に係合する窪み３を形成している。敷設箇所の端に配設される道路仮復旧用敷設ブロックマット１ｂは、端を形成する一辺４が直線状になっており、敷設箇所の角に配設される道路仮復旧用敷設ブロックマット１ｃは、角を形成する２辺５、６が直線状になっている。また、道路仮復旧用敷設ブロックマット１ａ、１ｂ、１ｃには、雨水を地面に通すため、多数の透水孔７を形成している。
【０００９】
この道路仮復旧用敷設ブロックマット１ａ、１ｂ、１ｃは、図１に示すように、施工の際、同様に周縁部に突起片２と窪み３を備えた道路仮復旧用敷設ブロックマットを、平面状に接合させて、舗装の仮復旧箇所に敷設すればよい。
【００１０】
この道路仮復旧用敷設ブロックマット１ａ、１ｂ、１ｃによれば、アスファルト舗装のように、特別な施工技術や知識及び管理が不要で、施工が容易である。また、天候に左右されずに施工が可能であり、施工の際に騒音を発生させることもない。また、ゴム又は樹脂製であり、現場での切断加工が可能であるから、施工箇所に対して、現場で対応でき、電柱周りやマンホールの周りなどにもきれいに施工できる。また、舗装仮復旧後の地盤安定期間中に起因する在来舗装部との段差改修が容易に行なえると共に、改修費も大幅に低減できる。また、舗装仮復旧後は、接合部を外すことにより、簡単に回収することができ、繰り返し使用することができるので、大きなコスト低減化を図ることができる。また、廃ゴムや廃ポリエチレンをリサイクルすることができ、これらの資源ゴミの有効利用を図ることができる。
【００１１】
以上、本発明の一実施形態に係る道路仮復旧用敷設ブロックマットを説明したが本発明はこれに限定されるものではない。
【００１２】
例えば、周縁部に接合構造は上記の実施形態に限定されず、各道路仮復旧用敷設ブロックマットを平面状に接合できる構造であればよく、種々の変更が可能である。
【図面の簡単な説明】
【００１３】
【図１】本考案の一実施形態に係る道路仮復旧用敷設ブロックマットを示す図。
【符号の説明】
【００１４】
１ａ、１ｂ、１ｃ     道路仮復旧用敷設ブロックマット
２     突起片
３     窪み
７     透水孔
【図１】
0003112511.tif 000003
(57)【要約】【課題】  高い柔軟性や心地よいフィット感が得られるとともに、優れた通気性を発揮することができ、さらには廃棄の際に環境に悪影響を及ぼすことがない枕を提供する。【解決手段】  中材２と、中材２を被覆するカバー３とにより形成される枕１である。中材２が天然発泡ゴムにて形成され、かつ、中材２に、通気性を付与する貫通孔５が穿孔されている。また、貫通孔５は、中材２の高さ（厚み）方向に複数にて穿孔されていることが好ましい。【選択図】      図１
0003112514.tif 000002
【実用新案登録請求の範囲】
【請求項１】
中材と、該中材を被覆するカバーとにより形成される枕において、前記中材が天然発泡ゴムにて形成され、かつ、該中材に、通気性を付与する貫通孔が穿孔されていることを特徴とする枕。
【請求項２】
前記貫通孔が、中材の高さ方向に複数にて穿孔されてなる請求項１記載の枕。
【考案の詳細な説明】
【技術分野】
【０００１】
本考案は、高い柔軟性やフィット感が得られると共に、優れた通気性を発揮することができる枕に関する。
【背景技術】
【０００２】
従来、通気性に優れ、不快な湿気を取り除いて蒸れることを防止できると共に、余分な熱を随時逃すことで快適な温度を保つことができ、使用者に安眠をもたらすことができる枕が知られている（特許文献１参照）。
上掲特許文献１の枕は、弾発性を備えた材質により所望の枕形状に一体成形したクッション体を備え、クッション体に、その表面の一箇所よりクッション体内部を通って他個所に貫通する通気孔を多数設けることを特徴としている。  
【特許文献１】特開２００２−２３３４４１号公報（第１頁、図１、図２）
【考案の開示】
【考案が解決しようとする課題】
【０００３】
しかしながら、前記構造の枕においては、クッション体が発泡ウレタン等の合成樹脂発泡材にて形成されているため、高い柔軟性や心地よいフィット感を得るまでには至らなかった。またクッション体を廃棄する際、環境に悪影響を与えるという問題もあった。
【０００４】
そこで本考案の目的は、上記の点に鑑み、高い柔軟性や心地よいフィット感が得られると共に、優れた通気性を発揮することができ、さらには廃棄の際、環境に悪影響を及ぼすことがない枕を提供することにある。
【課題を解決するための手段】
【０００５】
上記課題を解決するために本考案の枕は、中材と、該中材を被覆するカバーとにより形成される枕において、前記中材が天然発泡ゴムにて形成され、かつ、該中材に、通気性を付与する貫通孔が穿孔されていることを特徴とする。前記貫通孔は、中材の高さ方向に複数にて穿孔されていることが好ましい。
【考案の効果】
【０００６】
中材を天然発泡ゴムにて形成したことで、高い復元力や反発弾性、また圧縮強度や柔軟性に優れた枕が実現できる。また、廃棄の際に環境に与える悪影響を軽減することができる。さらに、該中材に通気性を付与する貫通孔を穿孔したことにより、快適な安眠が得られると共に、全体重量の軽量化も実現でき、コスト削減も可能となる。
【考案を実施するための最良の形態】
【０００７】
以下、本考案における枕の実施の形態を図面に基づいて説明する。
図１に示す枕１は、弾力性を有する中材２と、中材２を被覆するカバー３とにより形成されている。また、前記枕１の長手方向には、首筋の凹部にフィットする肉厚状の湾曲部４が形成されている。
【０００８】
また特に、前記中材２は天然発泡ゴムの材質にて形成されている。かかる天然発泡ゴムは、液状の天然ゴムを、機械発泡、または熱発泡等の手段を用い、適度の弾性を有する状態に微細に発泡させることにより形成される。かかる手段にて中材を形成したことで、長期に亘り弾性復元力が衰えにくく、高い反発弾性が得られると共に、圧縮強度や柔軟性に優れた枕が実現できる。また、従来の発泡ウレタン等の合成素材に比べ、中材を廃棄する際の環境への悪影響を軽減することができる。
【０００９】
また前記中材２には、通気性を付与するための貫通孔５が穿孔されている。かかる貫通孔５は、図２および図３の断面図に示すように、中材２の高さ（厚み）方向に複数にて穿孔することが好ましい。貫通孔５を中材２の高さ方向に穿孔することで、図４に示すように、使用の際、頭部Ａから発せられる熱や汗ａが効率よく下方に放出され、快適な安眠を実現することができる。なお、本考案において、中材２に複数にて穿孔する貫通孔５の大きさや穿孔する個数等には、特に限定はない。
【図面の簡単な説明】
【００１０】
【図１】本考案の枕の全体斜視図である。
【図２】図１に示す枕の平面断面図である。
【図３】図１に示す枕の側面断面図である。
【図４】本考案の枕の使用状態を示す側面図である。
【符号の説明】
【００１１】
１  枕
２  中材
３  カバー
４  湾曲部
５  貫通孔
Ａ  頭部
ａ  熱・汗
【図１】
0003112514.tif 000003
【図２】
0003112514.tif 000004
【図３】
0003112514.tif 000005
【図４】
0003112514.tif 000006
(57)【要約】【課題】  内部に荷重ケースを設け、かつ被計量物の個数を直接算出することが出来る電子重量計数器の技術案を提供する。【解決手段】  外ケース１内部に下台座８、それに対応する上台座２が設けられ、計重センサー７は上台座２と下台座８の間に据付けされ、上台座２の上面に外ケース１の内外に合わせられる荷重ケース３が設けられる。【選択図】    図１
0003112572.tif 000002
【実用新案登録請求の範囲】
【請求項１】
外ケース内部に下台座及びそれに対応する上台座が設けられ、
上台座と下台座の間に計重センサーが据付けされ、
上台座の上面に外ケースの内外に合わせられる荷重ケースが設けられることを特徴とする電子重量計数器。
【請求項２】
外ケースの左右両側にそれぞれ電子ディスプレイ及び電池ケースが設けられることを特徴とする請求項１に記載の電子重量計数器。
【請求項３】
電子ディスプレイ上に設定ボタン及び数値読込ボタンが設けられることを特徴とする請求項２に記載の電子重量計数器。
【請求項４】
下台座が外ケース内部の底部に直接固定連結されることを特徴とする請求項１に記載の電子重量計数器。
【請求項５】
荷重ケースと上台座がねじで合わせられることを特徴とする請求項１に記載の電子重量計数器。
【考案の詳細な説明】
【技術分野】
【０００１】
本考案は計重器の技術分野に属し、具体的には電子重量計数器とする。
【背景技術】
【０００２】
従来の電子計重器は、一般的にキーボード数字入力テンキーや符号演算によって操作を行い、被計量物を直接計量台に載せるか、或いは被計量物が転がり落ちるのを防止するために籠を用いて被計量物を載せ、被計量物を収容した籠を計量台に載置して重量を量るものであったが、使用時の不便、また、従来の電子計重器は物体の重量のみしか量れず、さらなる計算を経てようやく被計量物の数を得る事が出来るため、直接被計量物の個数を表示することは出来なかった。
【考案の開示】
【考案が解決しようとする課題】
【０００３】
本考案は、従来技術の問題を克服するため、内部に荷重ケースを設け、かつ被計量物の個数を直接算出することが出来る電子重量計数器の技術案を提供する。
【課題を解決するための手段】
【０００４】
上記目的を達成するため、本考案に係る電子重量計数器は、外ケース内部に下台座、それに対応する上台座が設けられ、計重センサーは上台座と下台座の間に据付けされ、上台座の上面に外ケースの内外に合わせられる荷重ケースが設けられることを特徴とする。
さらに本考案に係る電子重量計数器は、外ケースの左右両側にそれぞれ電子ディスプレイ及び電池ケースが設けられることを特徴とする。
【０００５】
さらに本考案に係る電子重量計数器は、電子ディスプレイ上に設定ボタン及び数値読込ボタンが設けられることを特徴とする。
さらに本考案に係る電子重量計数器は、下台座が外ケース内部の底部に直接固定連結されることを特徴とする。
さらに本考案に係る電子重量計数器は、荷重ケースと上台座がねじで合わせられることを特徴とする。
【０００６】
前記電子重量計数器は、構造が巧みで合理的であり、事前にパラメーター設定を行いさえすれば、電子ディスプレイ上に被計量物の個数を直接表示することが出来るし、一般的な計量にも用いる事が出来る。また、該電子重量計数器の内部には品物の転落防止が可能で、使用に便利でかつ操作も簡単な荷重ケースを設ける。
【考案を実施するための最良の形態】
【０００７】
図１に示すように、外ケース１内部に下台座８及びそれに相応する上台座２が設けられ、計重センサー７は上台座２と下台座８との間に据付けされ、その上ボルト固定され、上台座２の上面に外ケース１の内外に合わせられる荷重ケース３が設けられる。下台座８は、ボルトによって直接外ケース１内の底部に固定連結されるか、もしくはその他の方法によって連結される。荷重ケース３と上台座２とは、ねじで合わせられ、即ち、荷重ケース３の底部にねじ穴を設け、外ケース１の底部の相応する部位に穴を開け、ボルトを外ケース１の底部の穴に通して上台座２と荷重ケース３とを固定連結しているが、その他の連結方法を用いても良い。外ケース１は、荷重ケース３が外力の衝撃による損傷を受けないように、そして、その使用寿命を延長させるために荷重ケース３の四周を隔離保護している。外ケース１の左右両側にはそれぞれ電子ディスプレイ５、及び電池ケース９が設けられる。電子ディスプレイ５の上には設定ボタン４及び数値読込スイッチ６が設けられる。計重センサー７は被計量物の重量をリニア方式によってアナログ信号に変換して電子ディスプレイ５に出力し、電子ディスプレイ５はアナログ信号をデジタル信号に変換し、さらにデジタル方式によって被計量物の個数を表示する。計重センサー７と電池ケース９、電子ディスプレイ５及び設定ボタン４、数値読込ボタン６間の電気接続構造、及び信号の電気回路変換はいずれも公知の技術であり、本考案における請求の保護範囲に属していないため、ここでは再述しない。
【図面の簡単な説明】
【０００８】
【図１】本考案の一実施例の構造概略図である。
【符号の説明】
【０００９】
１  外ケース、２  上台座、３  荷重ケース、４  設定ボタン、５  電子ディスプレイ、６  数値読込ボタン、７  計重センサー、８  下台座、９  電池ケース
【図１】
0003112572.tif 000003
(57)【要約】【課題】  普通のハンカチと変わらない大きさおよび形でありながら、化粧落ちを防ぐのに有用なハンカチを提供すること。【解決手段】  扁平袋状の織物地製袋体１を大きさが四つ折りしたハンカチサイズ乃至手のひらサイズの平面視略正方形状に形成し、表面部１ａあるいは一側縁部に出し入れ口部２を開口し、当該出し入れ口部２から繰り返し冷凍可能な保冷部材３を出し入れ可能に収納してある。【選択図】  図１
0003112573.tif 000002
【実用新案登録請求の範囲】
【請求項１】
扁平袋状の織物地製袋体を大きさが四つ折りしたハンカチサイズ乃至手のひらサイズの平面視略正方形状に形成し、表面部あるいは一側縁部に出し入れ口部を開口し、当該出し入れ口部から繰り返し冷凍可能な保冷部材を出し入れ可能に収納してあることを特徴とするハンカチ。
【請求項２】
表面部がレース地で、裏面部が綿地であることを特徴とする請求項１記載のハンカチ。
【考案の詳細な説明】
【技術分野】
【０００１】
本考案は、化粧が乱れぬよう抑えるのに有効なハンカチに関する。
【背景技術】
【０００２】
ハンカチは、実用と装飾を兼ねた手ふき布であり、もっぱら濡れた手を拭いたり汗を拭き取るのに使われている。
また、特許文献１に掲載されているハンカチがある。このハンカチは、単糸繊度０．４０dtex／fil．以下の実撚が施された合成繊維糸と親水性繊維を含む織編物からなり、合成繊維と親水性繊維が交互配列されて製織編されてなるもので、一つの布帛で吸水性、水性汚れと皮脂など親油性汚れの拭取性を兼ね備え、なおかつ拭取時の自己発塵の問題がないなどの効果を奏することが記載されている。
このように、拭き取るという使われ方が多く、また、そのように認識されている。
ところで、汗を拭き取る際、同時に化粧も落ちてしまうという問題があり、化粧が拭き取られぬように、ハンカチを押しつけて汗を取るようにしても多少の化粧落ちは避けられない。
【特許文献１】特開２００３−６４５５２号公報
【考案の開示】
【考案が解決しようとする課題】
【０００３】
解決しようとする課題は、第１には、普通のハンカチと変わらない大きさおよび形でありながら、化粧落ちを防ぐのに有用なハンカチを、第２には、さらに、表面側が意匠的に装飾性に富み、皮膚に触れる裏面側が冷やし効果の高いハンカチを提供することにある。
【課題を解決するための手段】
【０００４】
本考案では前記した課題を達成するため、扁平袋状の織物地製袋体を大きさが四つ折りしたハンカチサイズ乃至手のひらサイズの平面視略正方形状に形成し、表面部あるいは一側縁部に出し入れ口部を開口し、当該出し入れ口部から繰り返し冷凍可能な保冷部材を出し入れ可能に収納してあることを特徴とする。
また、本考案では、表面部がレース地で、裏面部が綿地であることを特徴とする。
【０００５】
本考案における袋体は、通気性を有する織物地であればよく制限がない。この扁平袋状の袋体の大きさは、四つ折りしたハンカチサイズ乃至手のひらサイズの平面視略正方形状のものであればよい。
出し入れ口部は、表面部に形成してもよいし、一側縁に形成していてもよい。また、出入り口部を表面部に形成する場合、表面部の中央（図１参照）あるいは側縁寄り（図３のＡ参照）に一側縁から他側縁まで形成してもよいし、対角状（図３のＢ参照）に形成してもよい。
この出し入れ口部は、当該口部を形成する一方の口縁部と他方の口縁部が突き合った状態に隣り合う態様のものであってもよいし、一方の口縁部と他方の口縁部が上下に重合状を呈する態様のものであってもよく、後者であれば、人為的に取り出し操作しない限り保冷部材が袋体内から抜け出るようなことない。
保冷部材としては、融解潜熱の大きな水を主原料とし、吸水性樹脂を適宜配合した保冷剤を可撓性の熱可塑性樹脂製袋体に内封したもの等で、家庭等で一般的に使われているところの繰り返し冷凍して反復使用可能なものが挙げられる。
【考案の効果】
【０００６】
Ａ．請求項１により、普通のハンカチと同様に皮膚に当てるだけで袋体内の保冷部材が織物地を経て皮膚を冷やして働くことため、普通のハンカチと変わらない大きさおよび形でありながら、化粧落ちを防ぐのに有用である。
そして、袋体から保冷部材を取り出すことで、袋体を洗濯したりアイロンをかけたりして見た目にも綺麗に整えることができる。
Ｂ．請求項２により、さらに、表面側がレース地で意匠的に装飾性に富み、皮膚に触れる裏面側が綿地で皮膚にやさしく且つ冷やし効果が高い。
【考案を実施するための最良の形態】
【０００７】
図１および図２には本考案のハンカチにおける実施の１形態を例示しており、袋体１は扁平袋状の織物地製のもので、大きさが四つ折りしたハンカチサイズたとえば１０〜１２ｃｍ平方程度の平面視略正方形状に形成してある。そして、袋体１の表面部１ａはレース地で、裏面部１ｂは綿地で形成してある。
袋体１の表面部１ａ中央には出し入れ口部２を左側縁部１ｃから右側縁部１ｄまで開口形成してある。この出し入れ口部２は、上側口縁部２ａの表面上に下側口縁部２ｂが重合した状態に形成してあり、下側口縁部２ｂ上から上側口縁部２ａを潜らせることで保冷部材３を出し入れ可能にしてある。
保冷部材３は繰り返し冷凍して反復使用可能で且つ袋体１に対して出し入れ口部２から収納部４に出し入れ可能な大きさに形成してあり、収納部４に出し入れ口部２から出し入れ可能に収納してある。
【０００８】
図３には本考案のハンカチにおける実施の他の１形態を例示しており、構成は前記した図１の態様のものと基本的に同一であるため、共通している構成の説明は符合を準用して省略し、相違する構成について説明する。
図３のＡに例示したハンカチでは、出し入れ口部２を上縁部１ｅ寄りに形成してある。図３のＢに例示したハンカチでは、出し入れ口部２を左下隅から右上隅に対角状に形成してある。
【０００９】
図示していないが、本考案のハンカチ１を保冷層が内張りされた袋に納めるようにすれば、保冷部材３の保冷能力を維持するのに有効であり、使用毎に取り出すようにすればよい。
【図面の簡単な説明】
【００１０】
【図１】本考案のハンカチにおける実施の１形態を例示している平面図。
【図２】縦断面図。
【図３】（Ａ）および（Ｂ）は本考案のハンカチにおける実施の他の１形態を例示している各平面図。
【符号の説明】
【００１１】
１  袋体
１ａ  表面部
１ｂ  裏面部
１ｃ  左側縁部
１ｄ  右側縁部
１ｅ  上縁部
２  出し入れ口部
２ａ  上側口縁部
２ｂ  下側口縁部
３  保冷部材
４  収納部
【図１】
0003112573.tif 000003
【図２】
0003112573.tif 000004
【図３】
0003112573.tif 000005
(57)【要約】【課題】水または透明な液体を利用し、幼児やお年寄にも安全、かつ安価で利用できる、凸レンズ、拡大鏡を提供すること。【解決手段】本考案は、水又は透明な液体をあらかじめ形成しておいた合成樹脂製の透明な袋体Ｍに注入して拡大鏡として利用することができるようにしたものである。又、袋体Ｍの周囲に断熱剤を有するようにして寒冷地でも使用可能にした。さらに、袋体Ｍの幅方向、両端部近傍にベルト取り付け用の係止部５を設けることにより他の部材ないし物品に抱き合わせるようにしたものである。また、袋体Ｍの両端面円筒部の近傍に反射板を設けて透視効率を向上させたものである。【選択図】図１ 
0003112533.tif 000002
【実用新案登録請求の範囲】
【請求項１】
透明でかつ柔軟性のある袋体と、この袋体に収容される、水または透明な注液に溶解する脱気剤とから成り、注液を調節することで拡大倍率を変えることのできることを特徴とする拡大鏡用容器。
【請求項２】
前記袋体の周囲を囲う断熱剤を有することを特徴とする請求項１に記載の拡大鏡容器。
【請求項３】
前記袋体の幅方向、両端部近傍にベルト取付け用の係止部を設けたことを特徴とする請求項１、又は請求項２のいずれかに記載の拡大鏡用容器。
【請求項４】
前記袋体両側面の円筒部の近傍に反射板を付帯させたことを特徴とする、請求項１、又は請求項２、請求項３のいずれかに記載の拡大鏡用容器。
【考案の詳細な説明】
【技術分野】
【０００１】
本考案は簡単でかつ便利な凸レンズ、ないしは拡大鏡として用いることができる樹脂製容器に関するものである。
【背景技術】
【０００２】
従来からある拡大鏡等は、ガラス製か、透明の樹脂で形成されている。
【考案の開示】
【考案が解決しようとする課題】
【０００３】
従来のガラス製、または樹脂製のものは、携帯性も悪く、重く、硬く、脆く、破損すると、破片等で怪我をする危険性もあり、高価で、拡大倍率を変えることはできない形状である。
【課題を解決するための手段】
【０００４】
第１の考案は、透明でかつ柔軟性のある袋体と、この袋体に収容される水又は透明な注液に溶解する脱気剤とから成り、注液を調節することで拡大倍率を変えることのできることを特徴とする拡大鏡用容器である。
第２の考案は、前記袋体の周囲を囲う断熱剤と断熱層を有することを特徴とする拡大鏡用容器である。
第３の考案は、前記袋体の両側に係止させるためのベルトを有する拡大鏡容器である。
第４の考案は、前記袋体両側面の円筒部の近傍に反射板を付帯させたことを特徴とする拡大鏡用容器である。
【考案の効果】
【０００５】
本考案は上記のように構成したもので概略以下のような効果を奏する。
（１）透明でかつ柔軟性のある袋体へ収容する、液体の量によって拡大鏡の拡大倍率を容易に変えることができる。
（２）袋体へ収容した液体には、脱気剤が含有しており気泡が発生せず、あるいは一旦発生した気泡も消滅させることができるため、拡大したものが見づらくなることがない。
（３）袋体にベルト等を付加できるようにしたので、該ベルトにより、他の部品に保持させることができる。
（４）袋体は二重構造であり、内部の液体と外部の外気との間に断熱層を有し、結露を防ぎ透視度を妨げることはない。
【実施例】
【０００６】
以下、本考案の実施例を図面に基づき、詳細に説明する。
図１は、本考案の拡大鏡容器の斜視図、図２（Ａ）は上記容器の正面図、図２（Ｂ）はその側面図、図３は、上記容器を、他のボトルに保持した状態を示す斜視図である。
図のように、透明な合成樹脂製の容器、袋体Ｍにそそぎ口３から水または、透明な液体を充満するように注入して拡大鏡用容器とする。
【０００７】
前記拡大鏡の倍率を変える場合は、図１の袋体Ｍに設けたエアー抜き弁６を使用し、注入量を調整することで変える。
【０００８】
また、前記袋体Ｍ内に注入した液体には脱気剤、例えば、サンドジンＡ−５０（商品名）を加える。これにより液体内に気泡が発生することを防止することができる。あるいは、一旦発生した気泡も容易に消滅させることができる。
【０００９】
上記の図において、５は、袋体Ｍ内の中央下端近傍に設けた取付部である。この取付部５にベルト７を取付け、図３に示すように、例えばボトル８に把持させ、保存等に便利なようにしたものである。
【００１０】
図４は、本考案の他の実施例を示すもので断熱構造を備えたものである。
すなわち袋体Ｍを二重構造７とし、その二重構造部７の内部に、断熱剤そそぎ口１０を介して、例えばジェリー状のゲル化した断熱剤を収容する。
上記の構造とすることにより、結露を防止することができ、透視度を損なうことなく、拡大鏡の機能を、十分発揮させることができる。
【００１１】
図５は本考案の他の実施例を示すもので、両側面の円筒部に反射板を付帯させたものである。袋体Mの内部を反射板の作用で光を収集し、内部の照度を上げる。上記の構造とすることで透視度を上げ、拡大鏡の機能をさらに十分発揮させることができる。
【産業上の利用可能性】
【００１２】
上記の実施例では、液体のそそぎ口を袋体の正面右端寄りに設けるように図示したが、これに限定されるものではなく、例えば、いずれかの側面に設けてもよい。
またこのそそぎ口は水密性のあるチャックで水等を注入してもよい。
【図面の簡単な説明】
【００１３】
【図１】本考案の容器の斜視図である。
【図２】（Ａ）は、その側面図、同図（Ｂ）は、その正面図である。
【図３】その使用状態を示す斜視図である。
【図４】ボトルに装着した状態を示す斜視図である。
【図５】二重構造で外側に結露を防ぐ断熱層を有する拡大鏡容器の斜視図である。
【図６】反射板を装着した状態を示す斜視図である。
【符号の説明】
【００１４】
１．上部
２．正面
３．そそぎ口
４．下部
５．係止部
６．エアー抜き弁
７．ベルト
８．ボトル
９．二重構造部
１０．断熱剤そそぎ口
１１．反射板
Ｍ．袋体
【図１】
0003112533.tif 000003
【図２】
0003112533.tif 000004
【図３】
0003112533.tif 000005
【図４】
0003112533.tif 000006
【図５】
0003112533.tif 000007
【図６】
0003112533.tif 000008